【手続補正書】
【提出日】平成29年6月26日(2017.6.26)
【手続補正１】
【補正対象書類名】特許請求の範囲
【補正対象項目名】全文
【補正方法】変更
【補正の内容】
【特許請求の範囲】
【請求項１】
被検体に照射するためのＸ線を発生させるＸ線発生部と、前記Ｘ線発生部から照射されたＸ線を検出するＸ線検出器と、前記Ｘ線検出器から出力されたＸ線信号に対して画像処理を行なうＸ線画像処理部と、前記Ｘ線発生部及び前記Ｘ線画像処理部を搭載しモーターにて移動する台車と、前記モーターに電力を供給するバッテリと、前記バッテリを充電する充電回路と、外部サーバと無線により接続するためのネットワーク設定部と、前記外部サーバから無線により送信された信号を受信したときの電波受信強度を測定する電波受信強度測定部と、前記Ｘ線発生部によるＸ線照射、前記モーターによる台車の移動、又は前記充電回路による前記バッテリへの充電の少なくとも何れか一つの動作制限を解除する駆動制限設定部と、を有し、
前記駆動制限設定部は、前記ネットワーク設定部による前記外部サーバとの接続状態と、前記電波受信強度測定部により測定された電波受信強度と、に基づいて、前記動作制限を選択的に解除することを特徴とする移動型Ｘ線撮影装置。
【請求項２】
前記駆動制限設定部は、前記ネットワーク設定部による前記外部サーバとの接続がされていない場合、前記Ｘ線発生部によるＸ線照射、前記モーターによる台車の移動、及び前記充電回路による前記バッテリへの充電の動作を全て制限することを特徴とする請求項１に記載の移動型Ｘ線撮影装置。
【請求項３】
前記駆動制限設定部は、前記電波受信強度測定部により測定された電波受信強度が予め定めた値以下の場合は、前記Ｘ線発生部によるＸ線照射、前記モーターによる台車の移動、及び前記充電回路による前記バッテリへの充電の動作を全て制限することを特徴とする請求項１に記載の移動型Ｘ線撮影装置。
【請求項４】
前記駆動制限設定部は、前記電波受信強度測定部により測定された最も強い電波受信強度で受信した信号の送信源に基づいて、前記動作制限を選択的に解除することを特徴とする請求項１乃至３の何れか一項に記載の移動型Ｘ線撮影装置。
【請求項５】
被検体に照射するためのＸ線を発生させるＸ線発生部と、前記Ｘ線発生部から照射されたＸ線を検出するＸ線検出器と、前記Ｘ線検出器から出力されたＸ線信号に対して画像処理を行なうＸ線画像処理部と、前記Ｘ線発生部及び前記Ｘ線画像処理部を搭載しモーターにて移動する台車と、前記モーターに電力を供給するバッテリと、外部電力を用いて前記バッテリを充電する充電回路と、前記外部電力に重畳して送信されてきた電力線搬送信号を受信する電力線搬送信号受信回路と、を有し、
前記電力線搬送信号受信回路は、受信した前記電力線搬送信号と、予め設定された電力線搬送信号と、を比較して同じ信号であった場合、前記充電回路の動作制限を解除し、前記バッテリへの充電を許可するよう制御することを特徴とする移動型Ｘ線撮影装置
【手続補正２】
【補正対象書類名】明細書
【補正対象項目名】０００２
【補正方法】変更
【補正の内容】
【０００２】
移動型X線撮影装置は、バッテリをエネルギー源とした電動モーターにて病院内を走行することができるため、入院中の歩行困難な被検体などに対しては病室のベッド近傍まで
当該移動型X線撮影装置が移動することで被検体をベッドから移動することなく当該被検体のX線画像を取得することができる。
【手続補正３】
【補正対象書類名】明細書
【補正対象項目名】０００５
【補正方法】変更
【補正の内容】
【０００５】
しかしながら、盗難防止用の鍵が装備された移動型X線撮影装置では、鍵がなければ装置を駆動することができないため、特に緊急の場合などは、鍵の取り間違いや紛失等による被検体のX線画像の取得に対し遅延が発生する虞がある。
【手続補正４】
【補正対象書類名】明細書
【補正対象項目名】０００７
【補正方法】変更
【補正の内容】
【０００７】
前記課題を解決するために、本発明に係る移動型X線撮影装置は、被検体に照射するためのX線を発生させるX線発生部と、X線発生部から照射されたX線を検出するX線検出器と、X線検出器から出力されたX線信号に対して画像処理を行なうX線画像処理部と、X線発生部及びX線画像処理部を搭載しモーターにて移動する台車と、モーターに電力を供給するバッテリと、バッテリを充電する充電回路と、外部サーバと無線により接続するためのネットワーク設定部と、外部サーバから無線により送信された信号を受信したときの電波受信強度を測定する電波受信強度測定部と、X線発生部によるX線照射、モーターによる台車の移動、又は充電回路によるバッテリへの充電の少なくとも何れか一つの動作制限を解除する駆動制限設定部と、を有し、駆動制限設定部は、ネットワーク設定部による外部サーバとの接続状態と、電波受信強度測定部により測定された電波受信強度と、に基づいて、動作制限を選択的に解除する。
【手続補正５】
【補正対象書類名】明細書
【補正対象項目名】００２３
【補正方法】変更
【補正の内容】
【００２３】
病院内の外部サーバ206は、ネットワーク設定部201から送信された認証番号が当該外部サーバ206に対応した認証番号であるか否かを判定し、当該外部サーバ206に対応した認証番号であった場合は承認信号を、当該外部サーバ206に対応した認証番号でなかった場合は否認信号を、院内無線信号送受信部207を用いて無線通信部202へ送信する。
【手続補正６】
【補正対象書類名】明細書
【補正対象項目名】００３７
【補正方法】変更
【補正の内容】
【００３７】
ステップS504では、否認信号が受信できない場合は、移動型X線撮影装置1が外部サーバ206との通信エリア外にいることを、否認信号を受信した場合は、入力した認証番号が誤りであることを、表示部109に警告表示し、ステップS502に戻る。
【手続補正７】
【補正対象書類名】明細書
【補正対象項目名】００４９
【補正方法】変更
【補正の内容】
【００４９】
図8に示す移動型X線撮影装置1はコネクタ114を外部電源から電力の供給を受ける際に供給される電力に重畳して送信される施設ごとに異なる電力線搬送信号を受信する電力線搬送信号受信回路801を備え、電力線搬送信号受信回路801は予め設定していた電力線搬送信号と、外部電力に重畳して送信されてきた電力線搬送信号と、が同じものであるかを判定し、同じであると判定した場合のみ充電回路115の動作制限を解除し、バッテリ113への充電を許可するよう制御する。以上説明したように、本実施例の移動型X線撮影装置1は、電力線搬送信号を用いてバッテリへの充電を制御するため、鍵を装備することなく当該移動型X線撮影装置1の盗難を防止することができる。また、充電のみ制限する場合は、ネットワーク設定部201や駆動制限設定部204などは不要とすることができる。
【手続補正８】
【補正対象書類名】明細書
【補正対象項目名】００５０
【補正方法】変更
【補正の内容】
【００５０】
1  移動型X線撮影装置、100  被検体、101  X線発生部、102  X線絞り部、103  アーム、104  支柱、105  高電圧発生部、106  X線検出器、107  X線画像処理部、108  記憶部、109  表示部、110  モーター、111  制御部、112  操作部、113  バッテリ、114  コネクタ、115  充電回路、116  車輪、117  台車、201  ネットワーク設定部、202  無線通信部、203  電波受信強度測定部、204  駆動制限設定部、205  制限項目通知部、206  外部サーバ、207、207a〜207d  院内無線信号送受信部、801  電力線搬送信号受信回路
【手続補正９】
【補正対象書類名】図面
【補正対象項目名】図１
【補正方法】変更
【補正の内容】
【図１】
2016016191.tif 000001